(57)【要約】      （修正有）【課題】排出通路から挿入された不正部材の遊技機内部への侵入による不正行為を防止できるようにした遊技機の提供。【解決手段】遊技媒体の払い出し手段１７を筐体内に備え、筐体に開閉自在に装着された前面扉の裏側に、払い出し手段１７から払い出された遊技媒体を前面扉の前側の遊技媒体の受け皿４３へと排出する遊技媒体の排出通路４９を備え、払い出し手段１７と排出通路４９との間に、排出通路４９に挿入された不正部材が払い出し手段１７と排出通路４９との隙間から遊技機内部に侵入するのを防止する侵入防止手段６５を設ける。侵入防止手段６５は払い出し手段１７と排出通路４９との少なくとも一方から他方側へと突出する侵入防止壁６２，６６を備えている。【選択図】図４
2015100403.tif 000002
【特許請求の範囲】
【請求項１】
遊技媒体を払い出す払い出し手段を筐体内に備え、
前記筐体に開閉自在に装着された前面扉の裏側に、前記払い出し手段から払い出された遊技媒体を前記前面扉の前側の遊技媒体の受け皿へと排出する遊技媒体の排出通路を備えた遊技機において、
前記払い出し手段と前記排出通路との間に、前記排出通路に挿入された不正部材が前記払い出し手段と前記排出通路との隙間から遊技機内部に侵入するのを防止する侵入防止手段を設けた
ことを特徴とする遊技機。
【請求項２】
前記侵入防止手段は前記払い出し手段と前記排出通路との少なくとも一方から他方側へと突出する侵入防止壁を備えた
ことを特徴とする請求項１に記載の遊技機。
【請求項３】
前記侵入防止壁は前記払い出し手段に設けた
ことを特徴とする請求項２に記載の遊技機。
【請求項４】
前記侵入防止壁は前記排出通路に設けた
ことを特徴とする請求項２又は３に記載の遊技機。
【請求項５】
前記侵入防止壁は前記払い出し手段の前面側の少なくとも上側に配置した
ことを特徴とする請求項２〜４の何れかに記載の遊技機。
【発明の詳細な説明】
【技術分野】
【０００１】
本発明は、スロットマシン等の遊技機に関し、遊技媒体の排出通路から挿入された不正部材が遊技機内部に侵入して不正工作が行われるのを防止するようにしたものである。
【背景技術】
【０００２】
スロットマシン等の遊技機では、筐体側に遊技媒体の払い出し手段を備え、筐体に開閉自在に装着された前面扉の前側下部に遊技媒体の受け皿を備え、前面扉の裏側に遊技媒体の選別手段と、受け皿に連通する遊技媒体の排出通路とを備えている。
【０００３】
排出通路は、選別手段により排除された偽遊技媒体を受け皿へと排出すると共に、払い出し手段から払い出された遊技媒体を受け入れ口から受け入れて受け皿へと排出するようになっている。
【０００４】
この種の遊技機では、排出通路の受け入れ口と払い出し手段の前面側とが前後に近接して配置されているため、排出通路内の受け入れ口の下側近傍に侵入防止手段を設けて、この侵入防止手段により、排出通路の下端から挿入された不正部材の受け入れ口への侵入を防止するようにしている（特許文献１）。
【先行技術文献】
【特許文献】
【０００５】
【特許文献１】特開2007-289576 号公報
【発明の概要】
【発明が解決しようとする課題】
【０００６】
この遊技機は、排出通路内の侵入防止手段により不正部材の侵入を防止するようにはなっているものの、ひとたび不正部材が侵入防止手段をくぐり抜ければ、その先端は一気に受け入れ口から払い出し手段の前面側まで到達してしまう。
【０００７】
一方、払い出し手段及び排出通路は、前面扉を閉じたときに前後に近接するように配置されているが、前面扉が筐体に対して開閉自在に装着されている構造上、払い出し手段と排出通路との間には多少の隙間ができるようになっている。
【０００８】
そのため不正部材が払い出し手段の前面側まで到達すれば、その後は払い出し手段と排出通路との隙間を経て比較的容易に遊技機内部に侵入することが可能となり、筐体の内部、前面扉の裏側等に配置された機器類等に対して不正工作が行われる惧れがある。
【０００９】
本発明は、このような従来の問題点に鑑み、排出通路から挿入された不正部材の遊技機内部への侵入による不正行為を防止できる遊技機を提供することを目的とする。
【課題を解決するための手段】
【００１０】
本発明は、遊技媒体を払い出す払い出し手段１７を筐体２内に備え、前記筐体２に開閉自在に装着された前面扉３の裏側に、前記払い出し手段１７から払い出された遊技媒体を前記前面扉３の前側の遊技媒体の受け皿４３へと排出する遊技媒体の排出通路４９を備えた遊技機において、前記払い出し手段１７と前記排出通路４９との間に、前記排出通路４９に挿入された不正部材が前記払い出し手段１７と前記排出通路４９との隙間から遊技機内部に侵入するのを防止する侵入防止手段６５を設けたものである。
【００１１】
前記侵入防止手段６５は前記払い出し手段１７と前記排出通路４９との少なくとも一方から他方側へと突出する侵入防止壁６２，６６を備えてもよい。前記侵入防止壁６６は前記払い出し手段１７に設けてもよい。また前記侵入防止壁６２は前記排出通路４９に設けてもよい。前記侵入防止壁６２，６６は前記払い出し手段１７の前面側の少なくとも上側に配置してもよい。
【発明の効果】
【００１２】
本発明によれば、排出通路から挿入された不正部材の遊技機内部への侵入による不正行為を防止できる利点がある。
【図面の簡単な説明】
【００１３】
【図１】本発明の第１の実施形態を示すスロットマシンの全体斜視図である。
【図２】同筐体側の正面図である。
【図３】同前面扉側の要部の背面図である。
【図４】同扉体下部の縦断面図である。
【図５】同通路形成体の正面図である。
【図６】同侵入防止手段の側面断面図である。
【図７】同侵入防止手段の正面断面図である。
【図８】本発明の第２の実施形態を示す侵入防止手段の側面断面図である。
【図９】本発明の第３の実施形態を示す侵入防止手段の側面断面図である。
【図１０】本発明の第４の実施形態を示す侵入防止手段の側面断面図である。
【図１１】本発明の第５の実施形態を示す侵入防止手段の側面断面図である。
【図１２】本発明の第６の実施形態を示す侵入防止手段の側面断面図である。
【図１３】本発明の第７の実施形態を示す侵入防止手段の側面断面図である。
【図１４】本発明の第８の実施形態を示す侵入防止手段の側面断面図である。
【発明を実施するための形態】
【００１４】
以下、本発明の各実施形態を図面に基づいて詳述する。
【００１５】
図１〜図７は遊技媒体としてメダルを使用するスロットマシンに適用した本発明の第１の実施形態を示す。スロットマシン１は、図１及び図２に示すように、筐体２と、この筐体２の前側に配置された矩形状の前面扉３とを備えている。筐体２は前側が開放する箱形に形成されており、この筐体２に左右一端側のヒンジ手段（図示省略）により前面扉３が開閉自在に装着されている。
【００１６】
筐体２内には、図２に示すように、複数個の図柄表示リール８ａ〜８ｃが左右方向に配列された表示リールユニット９と、メダルを払い出す払い出し装置１０と、払い出し装置１０から溢流したメダルを受ける補助ケース１１と、電源基板が格納された電源基板ケース１２と、主制御基板１３が格納された主制御基板ケース１４等が配置されている。表示リールユニット９は筐体２内の棚板１５上に装着されている。
【００１７】
払い出し装置１０は、図２に示すように払い出し用のメダルを貯留するホッパー１６と、ホッパー１６内のメダルを払い出す払い出し手段１７と、ホッパー１６から溢流した余剰メダルを補助ケース１１側に排出する排出口１８等を備え、筐体２の底板６上に架台１９を介して着脱自在に装着されている。
【００１８】
払い出し手段１７はホッパー１６と架台１９との間に傾斜状に介在されており、ホッパー１６の下部に連通する偏平状の払い出しケース２１と、この払い出しケース２１内に回転自在に配置された回転円板２２と、この回転円板２２を駆動する駆動モータ（図示省略）とを備え、その回転円板２２の回転により、払い出しケース２１の前面部の払い出し口２３からメダルを前方へと払い出すように構成されている。
【００１９】
払い出しケース２１は回転円板２２を挟んで上下に配置された上ケース体２４と下ケース体２５とを備えている。払い出し口２３は、図７に示すように、上ケース体２４の前面部から下側に向かって突出する凸部２６と、下ケース体２５の前面部に設けられた凹部２７との間に形成されている。
【００２０】
前面扉３には、その上部側に第１表示窓２９と第２表示窓３０とが上下に配置され、第２表示窓３０の下側に、上面側に横長状の操作パネル部３１を有する前カバー３２が前側に張り出して設けられている。第１表示窓２９は表示リールユニット９の前側に対応しており、その各図柄表示リール８ａ〜８ｃの停止図柄を前側から視認できるようになっている。
【００２１】
第２表示窓３０は前面扉３の裏側に装着された液晶式等の演出画像表示手段３３の前側に対応しており、その演出画像表示手段３３に表示される演出画像を前側から視認できるようになっている。
【００２２】
操作パネル部３１は前カバー３２の上面側と前面側とにあり、その上面側には遊技媒体としてのメダルを投入可能な投入口３４の他、１ベットボタン３５、マックスベットボタン３６及びキャンセルボタン３７が設けられている。
【００２３】
操作パネル部３１の前面側には、図柄表示リール８ａ〜８ｃの回転を開始させるためのスタートレバー３８、回転中の図柄表示リール８ａ〜８ｃを夫々個別に停止させるためのストップボタン３９ａ〜３９ｃ、投入口３４内に詰まったメダルを返却させるための返却ボタン４０等が設けられている。
【００２４】
前面扉３の下部側は前カバー３２に比して大きく後方に後退しており、この前面扉３の下部側には、図１、図４に示すように、払い出し手段１７から払い出されたメダルや返却されたメダルを前側に排出するための排出口４２と、この排出口４２から排出されたメダルを受ける受け皿４３と、この受け皿４３の一側に配置された灰皿４４とが設けられている。なお、排出口４２の左右両側には、スピーカ４５が配置されている。
【００２５】
前面扉３は、合成樹脂材料により一体に成型され且つその骨格体を構成する扉体４６を備えている。扉体４６の裏側には、図３に示すように投入口３４から投入されたメダルの真偽を選別する選別手段４７と、選別手段４７を通過した真正のメダルをホッパー１６へと案内する案内シュート４８と、選別手段４７により排除された偽メダル及び払い出し手段１７により払い出されたメダルを排出口４２を経て受け皿４３へと排出する排出通路４９とが設けられている。
【００２６】
排出通路４９は、図３〜図５に示すように、扉体４６と、この扉体４６の後側に装着された横断面コ字状の通路形成体５１とにより構成され、上端が選別手段４７の下側に開口し且つ選別手段４７の下側から扉体４６の左右方向の中央側へと傾斜する傾斜通路部５２と、この傾斜通路部５２の下端から排出口４２側へと下方に延びる縦通路部５３とを有する。傾斜通路部５２はその上下方向の中途で後側に屈曲しており、上半分に対して下半分が後方に後退している。
【００２７】
通路形成体５１は上端部の左右両側、下端部の左右及び下側等の適当箇所に取り付け部５４を有し、その取り付け部５４が扉体４６側に一体に形成された凸部５５に嵌合して裏側からネジ５６により着脱自在に固定されている。また、通路形成体５１は払い出し手段１７の払い出し口２３の前側に近接する縦方向の後壁部５７と、排出口４２側へと前下りに傾斜する傾斜底壁５８とを有する。
【００２８】
後壁部５７には、図４、図５に示すように、払い出しケース２１の払い出し口２３に対応して後方に突出する受け入れ口６０が設けられると共に、前面側の受け入れ口６０の下側近傍に第１侵入防止手段６１が一体に設けられている。
【００２９】
受け入れ口６０は払い出しケース２１の払い出し口２３から払い出されたメダルを排出通路４９内に受け入れるためのもので、図５に示すように、傾斜通路部５２と縦通路部５３との接続位置において、払い出しケース２１の払い出し口２３に対応して傾斜通路部５２の傾斜方向と略直交方向に傾斜状に配置されている。
【００３０】
この受け入れ口６０は払い出し口２３よりも上下方向及び左右方向に大きい矩形状であり、図５、図６に示すように、後壁部５７から払い出しケース２１側へと後側に一体に突出する後述の前侵入防止壁６２の内周に形成されている。前侵入防止壁６２は矩形筒状であり、払い出し口２３の外周で後壁部５７を補強する口部を兼用する。なお、口部は後壁部５７自体の強度が十分であれば、突出長さを短くするか省略することも可能である。前侵入防止壁６２と口部は別々に設けてもよい。
【００３１】
第１侵入防止手段６１は、排出通路４９の排出口４２側から受け入れ口６０付近への不正部材の侵入を防止するためのもので、図４〜図６に示すように、受け入れ口６０の下側近傍又は極近傍に、その受け入れ口６０に沿って傾斜する略Ｌ状に形成され且つ後壁部５７の内面から前側に突出する侵入防止壁６３によって構成されている。侵入防止壁６３と受け入れ口６０との間には、図６に示すように、侵入防止壁６６を補強する三角形状の補強リブ６４が設けられている。
【００３２】
払い出し装置１０は、図４に示すようにホッパー１６の前側が排出通路４９の後側に接近して前側に張り出している。ホッパー１６の下側の払い出し手段１７及び架台１９の前側は、排出通路４９の後壁部５７に近接する略平坦状であり、前面扉３を閉じたときに排出通路４９の後壁部５７との間に所定の隙間ができるようになっている。
【００３３】
払い出し手段１７と排出通路４９との間には、図４、図６及び図７に示すように第２侵入防止手段６５が設けられている。この第２侵入防止手段６５は、受け入れ口６０を経て挿入された不正部材の遊技機内部への侵入を防止するためのもので、排出通路４９の後壁部５７から払い出し手段１７側へと後側に突出する前侵入防止壁６２と、この前侵入防止壁６２の外周で払い出しケース２１の前面から排出通路４９側へと前側に突出する後侵入防止壁６６とを備え、この両侵入防止壁６２，６６によって、払い出しケース２１と後壁部５７との間に不正部材の侵入防止用の迷路６７が形成されている。
【００３４】
前侵入防止壁６２は、図６、図７に示すように、払い出し口２３、受け入れ口６０に平行な長辺部６２ａ，６２ｂと、この長辺部６２ａ，６２ｂの両端を接続する短辺部６２ｃ，６２ｄを有する。前侵入防止壁６２の後端側は、払い出しケース２１の前面に近接している。
【００３５】
後侵入防止壁６６は所定の間隔をおいて前侵入防止壁６２を外周から取り囲む矩形筒状であって、仮に払い出しケース２１と前侵入防止壁６２との隙間を経て侵入防止壁側にピアノ線等の不正部材が挿入されたときにも、その不正部材の先端側が後侵入防止壁６６に当接して後壁部５７側に屈曲しないように、例えば払い出しケース２１の前面に対して略垂直に形成されている。
【００３６】
なお、後侵入防止壁６６の内周は前側が上下左右に若干広くなるテーパー状でもよい。また、前侵入防止壁６２と後侵入防止壁６６との隙間は、前面扉３の開閉時に両者が干渉しない程度であれば十分である。
【００３７】
後侵入防止壁６６は、図６、図７に示すように、その上側半分の上部侵入防止壁６８が上ケース体２４の前面に、下半分の下部侵入防止壁６９が下ケース体２５の前面に夫々一体に形成されており、前端側が排出通路４９側の後壁部５７に近接している。
【００３８】
上部侵入防止壁６８は払い出し口２３の上側の上長辺壁６８ａと左右両側の上短辺壁６８ｂ，６８ｃとを、下部侵入防止壁６９は払い出し口２３の上側の下長辺壁６９ａと左右両側の下短辺壁６９ｂ，６９ｃとを夫々有し、その各辺が前侵入防止壁６２と略平行になっている。上短辺壁６８ｂ，６８ｃと下短辺壁６９ｂ，６９ｃは略連続状に設けられている。
【００３９】
このように排出通路４９内に第１侵入防止手段６１を、払い出し手段１７と排出通路４９との間に第２侵入防止手段６５を夫々設けることにより、排出通路４９の下端の排出口４２から挿入されたピアノ線等の不正部材の遊技機内部への侵入を防止でき、その不正部材による遊技機内部の機器類に対する不正工作を防止することができる。
【００４０】
即ち、排出通路４９の下端の排出口４２から不正部材を挿入して遊技機内部の機器類に不正工作を働く場合には、先ず排出通路４９の後壁部５７の受け入れ口６０を経て払い出し手段１７側に不正部材を挿入する必要がある。しかし、排出通路４９の後壁部５７内には受け入れ口６０の下側に、前側へと突出する第１侵入防止手段６１があり、この第１侵入防止手段６１により受け入れ口６０への不正部材の挿入を防止するようにしているので、不正部材の受け入れ口６０への直接的な挿入を防止することができる。
【００４１】
また、不正部材の先端に第１侵入防止手段６１と接触しないような細工を施す等により、仮に不正部材の先端部が第１侵入防止手段６１を通過して受け入れ口６０を経て払い出し手段１７側に達するようなことがあっても、払い出し手段１７と排出通路４９との間には第２侵入防止手段６５があり、この第２侵入防止手段６５が不正部材の侵入を食い止めるので、不正部材のそれ以上の侵入を防止することができる。従って、不正部材の遊技機内部への侵入による機器類への不正工作を未然に防止することができる。
【００４２】
しかも第２侵入防止手段６５は、排出通路４９から後方に突出する前侵入防止壁６２と、この前侵入防止壁６２の外側で払い出し手段１７から前側に突出する後侵入防止壁６６とを有する構造であり、単に払い出し手段１７側に後侵入防止壁６６を設けるのみの場合に比較して不正部材の侵入をより確実に防止できる利点がある。
【００４３】
また、排出通路４９側の前侵入防止壁６２と払い出し手段１７側の後侵入防止壁６６とにより、払い出し手段１７と排出通路４９との間に迷路６７を形成しているため、不正部材の遊技機内部への侵入の防止を図りながらも、前侵入防止壁６２と払い出し手段１７との間、前侵入防止壁６２と後侵入防止壁６６との間、後侵入防止壁６６と排出通路４９との間に夫々所定の隙間を確保することが可能であり、前面扉３の開閉時の排出通路４９と払い出し手段１７との干渉等を容易に防止でき、前面扉３を容易に開閉することができる。
【００４４】
更に第２侵入防止手段６５は、払い出し手段１７から前側に突出する後侵入防止壁６６を有し、その後侵入防止壁６６で排出通路４９の前侵入防止壁６２を外側から囲繞する構造であるため、構造的にも簡単であり、容易且つ安価に実施できる利点がある。
【００４５】
なお、排出通路４９の下端の排出口４２は排出通路４９の受け入れ口６０よりも十分に下方にあり、その排出口４２から挿入した不正部材を受け入れ口６０を経て払い出し手段１７側に挿入するため、下端の排出口４２から挿入された不正部材は、通常では払い出し手段１７の前面に沿って上向きに移動することとなる。
【００４６】
従って、第２侵入防止手段６５の後侵入防止壁６６は、不正部材の上向きの移動を阻止する構造であればよく、例えば上長辺部６８ａと左側の上短辺部６８ｂとにより後侵入防止壁６６を構成する等、少なくとも上側にあれば十分である。勿論、後侵入防止壁６６は上長辺部６８ａと左右両側の上短辺部６８ｂ，６８ｃとによって、下向きに開放するコ字状に構成してもよい。
【００４７】
前侵入防止壁６２は受け入れ口６０の口部を兼用するため、払い出し口２３から払い出されたメダルを円滑に案内する必要から、下側部分を有することが望ましい。
【００４８】
図８は本発明の第２の実施形態を例示する。この実施形態では、第２侵入防止手段６５の後侵入防止壁６６は払い出しケース２１とは別に形成されおり、払い出しケース２１の前面の凹部等の装着部７１に嵌め込んで、ネジ止め等の適宜手段により着脱自在に装着されている。
【００４９】
後侵入防止壁６６はゴムその他の弾性材により矩形筒状に構成されており、例えば通常は図８に二点鎖線で示す程度の突出量を有し、前面扉３を閉じたときに、前侵入防止壁６２の外周で後壁部５７に圧縮状態で当接して、払い出しケース２１と後壁部５７との間を封鎖するようになっている。
【００５０】
また、払い出しケース２１の前面の装着部７１は、上ケース体２４と下ケース体２５とに跨がって形成されている。排出通路４９の後壁部５７には、受け入れ口６０の周辺で後壁部５７を補強する短い口部７２が設けられている。その他の構成は各実施形態と同様である。
【００５１】
このように後侵入防止壁６６を弾性材により構成して、その前端を排出通路４９に当接させることによって、払い出し手段１７と排出通路４９との隙間を封鎖することができ、後侵入防止壁６６による不正部材の侵入防止効果が更に向上する利点がある。
【００５２】
また、後侵入防止壁６６により払い出し手段１７と排出通路４９との間を封じるため、前侵入防止壁６２を省略して、突出量の小さい口部７２を後壁部５７の後側に設けることも可能である。この場合、その口部７２の突出長さは、払い出し手段１７の払い出し口２３から払い出されたメダルを受け入れ口６０で受け入れるに必要な長さ等を考慮して決定すればよく、設計に自由度が向上する利点がある。
【００５３】
払い出し手段１７側の保守・点検等で払い出しケース２１を分解する際には、矩形筒状の後侵入防止壁６６を装着部７１から取り外せばよい。そのため後侵入防止壁６６が矩形筒状であるにも拘わらず、払い出し手段１７側の分解等も容易に行うことができる。
【００５４】
なお、後侵入防止壁６６が矩形筒状の場合には、各ケース体２４，２５に対して着脱自在に装着する必要があるが、後侵入防止壁６６を上下の各ケース体２４，２５に対応して上下に二分割して、その各分割体を各ケース体２４，２５に接着等で固定するようにしてもよい。
【００５５】
また、後侵入防止壁６６の断面形状は、その前端に排出通路４９の後壁部５７が当接したときの安定性等から台形状等が適当であるが、不正部材が後侵入防止壁６６の内周面を経て屈曲しながら遊技機内部側に侵入するような惧れがければ、その形状は任意に決定することができる。勿論、後侵入防止壁６６の内周面に、不正部材の移動を制限する突起、その他のものを設けることも可能である。
【００５６】
図９は本発明の第３の実施形態を例示する。この実施形態の第２侵入防止手段６５では、排出通路４９の後壁部５７は後面は平坦状であり、その後壁部５７に後侵入防止壁６６が後側から当接している。後侵入防止壁６６は第２の実施形態と同様である。
【００５７】
排出通路４９内には後壁部５７から前側に突出する矩形筒状の口部７２が一体に形成されており、この口部７２が第１侵入防止手段６１を兼用している。なお、口部７２の上側にはその上にメダルが乗らないように、後壁部５７との間に傾斜状の案内部７３が設けられている。その他の構成は第２の実施形態と同じである。
【００５８】
このように払い出し通路４９と払い出し手段１７との隙間を後侵入防止壁６６で閉鎖する場合には、排出通路４９内に突出する口部７２を設けて、排出通路４９と払い出し手段１７との間隔を小さくすることもできる。また、口部７２によって第１侵入防止手段６１を兼用することもできる。
【００５９】
図１０は本発明の第４の実施形態を例示する。この実施形態では、払い出し手段１７の前面は上下、左右方向に平坦状であり、第２侵入防止手段６５が排出通路４９側に設けられている。第２侵入防止手段６５は前侵入防止壁６２を備え、その前侵入防止壁６２は受け入れ口６０の外周の口部７２と、この口部７２の後側に装着され且つ前面扉３を閉じたときに払い出しケース２１の前面に弾性的に当接する当接部７４とを備えている。
【００６０】
当接部７４は矩形筒状であって、口部７２の後端側に取り付けられる段部等の取り付け部７４ａを有し、その取り付け部７４ａは接着その他の適宜手段により口部７２に取り付けられている。なお、当接部７４は、その前端が後壁部５７に当接するように口部７２の外周に套嵌して装着してもよい。その他の構成は各実施形態と同様である。
【００６１】
このように第２侵入防止手段６５は、払い出し手段１７の払い出しケース２１の前面に当接する当接部７４を設ける等、後端が払い出しケース２１の前面に当接して排出通路４９と払い出し手段１７との間を封鎖するようにしてもよい。また、前侵入防止壁６２を排出通路４９側に設けることにより、払い出しケース２１の前面側を平坦状に構成することもできる。
【００６２】
従って、第２侵入防止手段６５は払い出し手段１７側の後侵入防止壁６６と排出通路４９側の前侵入防止壁６２とを組み合わせて構成する他、図８〜図１０に示すように、後侵入防止壁６６又は前侵入防止壁６２で構成することも可能である。
【００６３】
図１１は本願発明の第５の実施形態を例示する。この実施形態では、排出通路４９の後壁部５７に、受け入れ口６０を有する前侵入防止壁６２と、この前侵入防止壁６２の外側に所定の間隔をおいて配置された外侵入防止壁７５とが設けられ、払い出し手段１７の払い出しケース２１の前面に、前侵入防止壁６２と外侵入防止壁７５との間に配置された後侵入防止壁６６が設けられている。前侵入防止壁６２、外侵入防止壁７５、後侵入防止壁６６は略矩形状である。その他の構成は各実施形態と同様である。
【００６４】
このようにすれば、排出通路４９と払い出し手段１７との間に各侵入防止壁６２，６６，７５によって形成される迷路６７が複雑になり、第２侵入防止手段６５の侵入防止効果が更に向上する利点がある。なお、外侵入防止壁７５は前侵入防止壁６２と同様に後壁部５７に一体に形成してもよいし、後壁部５７とは異なる材質で別体に形成した後、後壁部５７の裏面に装着するようにしてもよい。
【００６５】
図１２は本願発明の第６の実施形態を例示する。この実施形態では、第２侵入防止手段６５は、払い出しケース２１の前面に装着された忍び返し部７６付きの後侵入防止壁６６と、後侵入防止壁６６の内周で払い出しケース２１の前面に形成された凹部７７とを有する。
【００６６】
忍び返し部７６は矩形筒状の後侵入防止壁６６の前端部に内側に屈曲して設けられ、排出通路４９の後壁部５７の後側に近接して配置されている。受け入れ口６０周辺の後壁部５７は平坦状であり、口部７２が前側に突出して形成されている。その他の構成は各実施形態と同様である。
【００６７】
このように後侵入防止壁６６の前端部に忍び返し部７６があれば、この忍び返し部７６で不正部材の遊技機内部への侵入を阻むことができる。従って、忍び返し部７６のない単なる筒状の後侵入防止壁６６による場合に比較して信頼性が向上し、後壁部５７と払い出しケース２１との間隔が小さくて後侵入防止壁６６の突出量を十分に確保し難いような場合にも便利である。
【００６８】
また、合成樹脂成型の場合には、忍び返し部７６を有する後侵入防止壁６６は払い出しケース２１と別々に製作してから払い出しケース２１の前面に装着することとなる。このため必要に応じて払い出しケース２１の前面に凹部７７を設けることが可能となり、後壁部５７と払い出しケース２１との間隔が小さい場合には、それによって実質的に後侵入防止壁６６の高さを大にすることも可能である。
【００６９】
図１３は本願発明の第７の実施形態を例示する。この実施形態の第２侵入防止手段６５は、払い出し手段１７の払い出しケース２１の前面に形成された凹部７７と、排出通路４９の後壁部５７から後方に突出し且つ後端部が凹部７７内に入る前侵入防止壁６２とを備えている。前侵入防止壁６２の後端は僅かな隙間を介して凹部７７内に配置されている。その他の構成は各実施形態と同様である。
【００７０】
このように排出通路４９側から後方に突出する前侵入防止壁６２の後端部を払い出しケース２１の前面の凹部７７内に配置する場合にも、不正部材の遊技機内部への侵入を防止することができる。即ち、排出通路４９の後壁部５７の受け入れ口６０から前侵入防止壁６２に沿って不正部材を払い出し手段１７側に挿入するようなことがあっても、前侵入防止壁６２と凹部７７との間でその侵入を防止できる。従って、第２侵入防止手段６５は払い出しケース２１の前面に当接しない前侵入防止壁６２を排出通路４９側に設けて構成することも可能である。
【００７１】
なお、払い出しケース２１の前面を平坦状にして、前侵入防止壁６２の後端が払い出しケース２１の前面に近接するようにしてもよい。この場合には、例えば図１３に二点鎖線で示すように、払い出しケース２１の前面に突出量の小さい後侵入防止壁６６を設ける等により、不正部材の侵入を十分に防止することが可能である。
【００７２】
図１４は本願発明の第８の実施形態を例示する。この実施形態の第２侵入防止手段６５は、払い出し手段１７の払い出しケース２１に設けられた後侵入防止壁６６と、この後侵入防止壁６６の外周で排出通路４９の後壁部５７に設けられた短い前侵入防止壁６２とを備えている。後侵入防止壁６６は排出通路４９の後壁部５７の受け入れ口６０と略対応している。その他の構成は各実施形態と同様である。
【００７３】
このように排出通路４９側の短い前侵入防止壁６２で払い出し手段１７側の後侵入防止壁６６の前端部を外側から取り囲むようにしても、不正部材の遊技機内部への侵入を防止できる。従って、排出通路４９の後壁部５７に前侵入防止壁６２を設ける場合にも、その前侵入防止壁６２は払い出し手段１７側の後侵入防止壁６６の内外の何れでもよい。
【００７４】
以上、本発明の実施例について詳述したが、本発明は各実施例に限定されるものではなく、本発明の趣旨を逸脱しない範囲で種々の変更が可能である。第２侵入防止手段６５は、払い出し手段１７側の後侵入防止壁６６及び／又は排出通路４９側の前侵入防止壁６２により構成できる。払い出し手段１７側の後侵入防止壁６６及び／又は排出通路４９側の前侵入防止壁６２は周方向に連続状である必要はなく、周方向の複数個に分割してもよい。
【００７５】
払い出し手段１７側に後侵入防止壁６６を設ける場合には、前侵入防止壁６２、口部７２の外周側、内周側の何れに配置してもよい。また、各実施形態で侵入防止壁７１は略筒状に形成されているが、メダルの払い出し、受け入れに支障を来さず、しかも不正部材の侵入を防止できるならば他の形状でもよい。例えば、払い出し口２３を上側から覆うＬ字型や半円状でもよい。また、後侵入防止壁６６、前侵入防止壁６２の形状及び構造は、払い出しケース２１の払い出し口２３及び排出通路４９の受け入れ口６０との関係で適宜変更可能である。
【００７６】
排出通路４９は、払い出し手段１７から払い出されたメダルを受け入れる受け入れ口６０と、選別手段４７からの偽メダルを受け入れる受け入れ口とを上端側に別々に備え、その両者からのメダルを合流させて排出口４２へと案内するように構成してもよい。
【００７７】
受け入れ口６０の口部７２は各実施例では矩形状に形成されているが、払い出しケース２１から払い出されるメダルが通過するのに必要な寸法を有する形状であれば、楕円状等の形状でもよい。また、払い出しケース２１の払い出し口２３から払い出されるメダルが排出通路４９へと入る受け入れ口６０の強度が確保できるのであれば、口部７２は設けなくてもよい。
【００７８】
遊技媒体としてメダルを使用するスロットマシンを例示しているが、メダル以外の遊技媒体を使用するものでもよい。更にパチンコ機、その他の弾球遊技機、又はスロットマシン等の遊技機においても同様に実施することが可能である。
【符号の説明】
【００７９】
２  筐体
３  前面扉
１７  払い出し手段
３４  投入口
４３  受け皿
４７  選別手段
４９  排出通路
６０  受け入れ口
６２  前侵入防止壁
６５  侵入防止手段
６６  後侵入防止壁
【図１】
2015100403.tif 000003
【図２】
2015100403.tif 000004
【図３】
2015100403.tif 000005
【図４】
2015100403.tif 000006
【図５】
2015100403.tif 000007
【図６】
2015100403.tif 000008
【図７】
2015100403.tif 000009
【図８】
2015100403.tif 000010
【図９】
2015100403.tif 000011
【図１０】
2015100403.tif 000012
【図１１】
2015100403.tif 000013
【図１２】
2015100403.tif 000014
【図１３】
2015100403.tif 000015
【図１４】
2015100403.tif 000016